(57)【要約】      （修正有）【課題】傘の柄の様々な太さに対応することができ、デザインの自由度も高めることができる傘チャームを提供する。【解決手段】傘チャーム１の留め具３は、互いに連結されたＯリング２１及びシュシュ２３を有し、Ｏリング２１及びシュシュ２３は、互いに異なる弾力性を具備する。傘の柄が太い場合には、Ｏリング２１及びシュシュ２３をそれらの自由状態の形状で柄に挿通し、柄によって拡開されたＯリング２１が、自身の復元力によって、柄を締め付けるようにこれに取り付けられる。一方、傘の柄が細い場合には、Ｏリング２１をその自由状態の形状で柄に挿通し且つシュシュ２３をＯリング２１よりも小径となるように変形させて柄に巻きつけられる態様で挿通する。これにより、シュシュ２３が、巻きつけられたことによる復元力によって柄を締め付けるようにこれに取り付けられる。【選択図】図１
0003167533.tif 000002
【実用新案登録請求の範囲】
【請求項１】
傘の柄に取り付けられる傘チャームであって、
前記傘の柄に着脱可能に取り付けられる留め具と、
前記留め具に取り付けられたチャーム本体と、を備え、
前記留め具は、
前記柄に挿通可能に構成され、弾力性を有する第１のリング状部材と、
前記柄に挿通可能に構成され、前記第１のリング状部材よりも大径で且つ当該第１のリング状部材の弾力性とは異なる弾力性を有し、前記第１のリング状部材に連結された第２のリング状部材と、を備え、
前記チャーム本体は、前記第１のリング状部材又は前記第２のリング状部材に取り付けられており、
前記留め具が取り付けられる前記柄の部分の太さが前記第１のリング状部材の径よりも大きい場合、前記第１のリング状部材及び前記第２のリング状部材をそれらの自由状態の形状で前記柄に挿通したとき、当該第１のリング状部材が、当該柄によって拡開されたことによる復元力によって当該柄を締め付けるように当該柄に取り付けられる一方、
前記留め具が取り付けられる前記柄の部分の太さが前記第１のリング状部材の径よりも小さい場合、前記第１のリング状部材をその自由状態の形状で前記柄に挿通し且つ前記第２のリング状部材を当該第１のリング状部材よりも小径となるように変形させて前記柄に巻きつけられる態様で挿通したとき、前記第２リング状部材が、当該巻きつけられたことによる復元力によって当該柄を締め付けるように当該柄に取り付けられる、傘チャーム。
【請求項２】
前記第１のリング状部材は、Ｏリングで構成され、
前記第２のリング状部材は、シュシュで構成されている、請求項１に記載の傘チャーム。
【考案の詳細な説明】
【技術分野】
【０００１】
本考案は、傘に取り付けられる飾り、すなわち傘チャームに関するものである。
【背景技術】
【０００２】
一般に、傘チャームは、傘の装飾性・ファッション性を高めたり、あるいは他の傘との識別性を高めるために、傘に取り付けて使用されている。例えば、特許文献１には、傘の柄に後付けできる傘チャームとして、ストラップタイプのものが開示されている。
【先行技術文献】
【特許文献】
【０００３】
【特許文献１】特開２００５−１４４６０１号公報
【考案の概要】
【考案が解決しようとする課題】
【０００４】
しかし、特許文献１に記載の傘チャームは、マジックテープ（登録商標）等により傘の柄に取り付けるものであるため、経時的に傘の柄から滑り落ち易い上、傘の柄の様々な太さに対応することが難しかった。また、デザイン性も高いとは言えなかった。
【０００５】
そこで、本考案は、傘の柄の様々な太さに対応することができ、デザインの自由度も高めることができる傘チャームを提供することをその目的としている。
【課題を解決するための手段】
【０００６】
上記目的を達成するため、本考案の傘チャームは、傘の柄に取り付けられる傘チャームであって、傘の柄に着脱可能に取り付けられる留め具と、留め具に取り付けられたチャーム本体と、を備える。留め具は、柄に挿通可能に構成されて弾力性を有する第１のリング状部材と、柄に挿通可能に構成されて第１のリング状部材よりも大径で且つ第１のリング状部材の弾力性とは異なる弾力性を有する第２のリング状部材と、を備える。第２のリング状部材は、第１のリング状部材に連結され、チャーム本体は、第１のリング状部材又は第２のリング状部材に取り付けられる。そして、留め具が取り付けられる柄の部分の太さが第１のリング状部材の径よりも大きい場合（以下、この場合を「柄の太い傘」ということがある。）、第１のリング状部材及び第２のリング状部材をそれらの自由状態の形状で柄に挿通したとき、第１のリング状部材が、柄によって拡開されたことによる復元力によって柄を締め付けるように柄に取り付けられる。一方、留め具が取り付けられる柄の部分の太さが第１のリング状部材の径よりも小さい場合（以下、この場合を「柄の細い傘」ということがある。）、第１のリング状部材をその自由状態の形状で柄に挿通し且つ第２のリング状部材を第１のリング状部材よりも小径となるように変形させて柄に巻きつけられる態様で挿通したとき、第２リング状部材が、巻きつけられたことによる復元力によって柄を締め付けるように柄に取り付けられる。
【０００７】
本考案によれば、柄の太い傘及び柄の細い傘のいずれに対しても、傘の柄に留め具を取り付けてチャーム本体によって傘をデコレーションすることができる。
【０００８】
具体的には、柄の太い傘への取付け状態では、第１のリング状部材の復元力が柄に対して緊締力として作用するため、柄からの第１のリング状部材の滑り落ちが抑制され、これにより、第１及び第２のリング状部材のいずれも柄に挿通し保持させた状態を維持することができる。一方、柄の細い傘への取付け状態では、第２のリング状部材の復元力が柄に対して緊締力として作用するため、柄からの第２のリング状部材の滑り落ちが抑制され、これにより、第２及び第１のリング状部材のいずれも柄に挿通し保持させた状態を維持することができる。
【０００９】
したがって、一つの傘チャームによって、柄の太さが異なる様々な傘に対応することができる。加えて、いずれの傘への取付け状態であっても、第１及び第２のリング状部材が柄に挿通された状態が維持されることから、第１又は第２のリング状部材に取り付けられたチャーム本体によって傘の装飾性・ファッション性を高めることができる。また、チャーム本体として様々なデザインを採用することができるので、傘チャームとしてのデザインの自由度を高めることができる。
【００１０】
好ましくは、第１のリング状部材はＯリングで構成され、第２のリング状部材はシュシュで構成されるとよい。
【００１１】
このような構成によれば、チャーム本体だけではなく、第２のリング状部材そのものによっても傘の装飾性・ファッション性を高めることができる。また、第１のリング状部材としてＯリングを用いているので、柄の太い傘での滑り落ちにくさを簡単な構成で確保することができると共に、簡単な構成であるがゆえに傘チャームとしてのデザイン性も確保し易い。
【図面の簡単な説明】
【００１２】
【図１】実施形態に係る傘チャームの斜視図である。
【図２】実施形態に係る傘チャームを柄の太い傘に取り付けた状態を示す図である。
【図３】実施形態に係る傘チャームを柄の細い傘に取り付けた状態を示す図である。
【図４】実施形態に係る傘チャームをバッグのハンドルに取り付けた状態を示す図である。
【考案を実施するための形態】
【００１３】
以下、添付図面を参照して、本考案の好適な実施形態に係る傘チャームについて説明する。なお、図面の寸法比率は、図示の比率に限定されるものではない。また、以下の実施形態は、本考案を説明するための例示であり、本考案をその実施形態のみに限定する趣旨ではない。
【００１４】
図１に示すように、傘チャーム１は、チャーム本体２と、チャーム本体２に取り付けられた留め具３と、を備える。
【００１５】
チャーム本体２は、傘の装飾性・ファッション性を高める飾りであり、各種のデザインのものを用いることができる。例えば、図１に示すチャーム本体２では、複数のガラスビーズをステンレスワイヤーなどで数珠つなぎしたデザインとしている。ガラスビーズに代えてアクリルカット玉又は鉄丸カンなどを用いてもよく、また、ステンレスワイヤーに代えてナイロンテグスなどを用いてもよい。もちろん、他のデザインとして、ハート、ダイヤ、スペード、クローバーなどの形状や、人、動物、植物、乗物、楽器を模した形状なども採用することができ、チャーム本体２のデザインは自由に設計することが可能である。
【００１６】
チャーム本体２の一端にはホック１０が設けられ、また、チャーム本体２の他端には留め輪１２が設けられており、ホック１０を留め輪１２に着脱可能にかけることができるようになっている。ホック１０を留め輪１２にかけることで、チャーム本体２を直線形状から環状形状へと変形させ、その環状形状で維持することができる。
【００１７】
留め具３は、二つのリング状部材として、Ｏリング２１及びシュシュ２３を備える。Ｏリング２１は、シュシュ２３よりも小さく形成されており、内径及び外径がともにシュシュ２３のそれらよりも小径で構成される。Ｏリング２１及びシュシュ２３は、ともに弾力性を有しているが、互いに異なる弾力性を有している。ここでは、Ｏリング２１の方がシュシュ２３よりも弾力性が低い。すなわち、負荷をかけた場合に、Ｏリング２１の方がシュシュ２３よりも伸びにくくなっている。
【００１８】
Ｏリング２１の内径は、傘の柄の太さを考慮して設計するとよく、例えば１１ｍｍ〜２０ｍｍ程度とすることができる。ここでは、標準的な傘の柄の太さを考慮し、その柄の太さよりもＯリング２１の内径を僅かに小さくしている。このため、傘の柄にＯリング２１を挿通して取り付けた場合には、柄によってＯリング２１は自由状態の形状から押し拡げられようになる。その結果、弾力性を有するＯリング２１には、元の自由状態の形状に戻る力（すなわち復元力）が作用し、その復元力によって、Ｏリング２１は傘の柄を締め付けるようにしてこれに取り付けられることになる。この取付け状態では、傘チャーム１がＯリング２１によって傘の柄に支えられる。
【００１９】
Ｏリング２１の性状、すなわち材質、厚み及び断面形状等は適宜設計することができる。例えば、材質としては、シリコーンゴム、フッ素ゴム、フッ素ゴム、ブチルゴム、ＥＰＤＭなどを使用することができ、その中でも、透明性に優れたシリコーンゴムを使用することが好ましい。Ｏリング２１の色は任意であるが、例えば、シリコーンゴムを用いて半透明とすれば、工業的な印象を薄めることを期待することができる。また、厚みとしては、４．０ｍｍ前後のものを用いることが好ましい。これよりも大きいと、Ｏリング２１が目立って傘チャーム１のデザイン性を損なうおそれがある一方、これよりも小さいと、傘の柄への取付け状態において傘チャーム１の重さを支えきれないおそれがあるからである。さらに、断面形状としては、円形や四角形を採用することができるが、円形が好ましい。Ｏリング２１を傘の柄に挿通する際に、円形の方が挿通し易く、取り付け易いからである。
【００２０】
シュシュ２３は、ドーナツ状にした薄手の布にゴムを通して縮ませたものであり、それ単体で装身具の一種を構成し得るものである。布及びゴムの材質は適宜設計することができるが、一般的なシュシュに代表されるように、布としてはナイロン生地を用い、ゴムとしては生ゴム又はナイロンを用いることが好ましい。なお、ゴムを覆う布は縮んでいるため、皺がよった態様となる。
【００２１】
シュシュ２３の内径は、傘の柄の太さを考慮して設計するとよいが、Ｏリング２１の内径よりも大きいものとなる。Ｏリング２１と同様に、シュシュ２３も傘の柄に挿通可能に構成されており、上述した標準的な傘の柄の太さの場合には、シュシュ２３はその自由状態の形状で傘の柄に挿通することができる。このとき、傘の柄の太さやシュシュ２３の内径によっては、シュシュ２３にも復元力が作用し得る。
【００２２】
また、シュシュ２３は、標準的な傘の柄の太さよりも小さい傘に対しては、変形されることによって、傘チャーム１を傘の柄に支える。
具体的には、シュシュ２３は、そのゴムの弾力性に抗して、自由状態の形状から、二以上のわっかを構成する形状へと変形可能に構成されている。すなわち、シュシュ２３は、Ｏリング２１よりも小径となるように変形させて傘の柄に巻きつけられる態様で挿通することが可能となる。このような態様でシュシュ２３を傘の柄に挿通して取り付けた場合には、シュシュ２３には、巻きつけられていることによって元の自由状態の形状に戻る力（すなわち復元力）が作用し、その復元力によって、シュシュ２３は傘の柄を締め付けるようにしてこれに取り付けられることになる。この取付け状態では、傘チャーム１がシュシュ２３によって傘の柄に支えられる。
【００２３】
Ｏリング２１、シュシュ２３及びチャーム本体２は、全体として一つの製品となるように連結されている。
具体的には、まず、Ｏリング２１とシュシュ２３とは、丸カン３１の内側に移動可能に挿通されており、互いに丸カン３１によって可動可能に連結されている。このため、Ｏリング２１とシュシュ２３との連結位置を径方向で調整可能になっている。また、Ｏリング２１は、当該連結点（丸カン３１）を中心として、シュシュ２３の表面と裏面とにそれぞれ重なる位置、さらにはこれらの位置を越えてシュシュ２３の内側に配置される位置まで回動可能になっている。Ｏリング２１の外径がシュシュ２３の内径よりも大きい場合には、Ｏリング２１は、シュシュ２３を径方向の外側に押し広げるようにしてシュシュ２３の内面に配置することも可能であり、そのような配置をすると、Ｏリング２１はシュシュ２３の内面によって保持されるようになる。
【００２４】
次に、シュシュ２３と本体チャーム２とは、互いに１箇所を丸カン３３により可動可能に連結されている。この場合、本体チャーム２の留め輪１２を有効に利用して、シュシュ２３と留め輪１２とを丸カン３３により連結するとよい。この連結方法は、上記したＯリング２１とシュシュ２３との連結方法と同様となる。したがって、本体チャーム２に対するシュシュ２３の連結位置は、シュシュ２３の径方向で調整可能である。また、シュシュ２３は、当該連結点（丸カン３３）を中心として、少なくとも本体チャーム２の表面と裏面とにそれぞれ重なる位置まで回動可能になっている。
【００２５】
なお、Ｏリング２１、シュシュ２３及びチャーム本体２の連結態様は、上記に限るものではないし、丸カン３１，３３以外の連結具を用いることも可能である。例えば、チャーム本体２をシュシュ２３ではなくＯリング２１に連結することも可能である。この場合、Ｏリング２１はチャーム本体２及びシュシュ２３に連結されることになるため、Ｏリング２１に対する負荷が大きくなり得る上、シュシュ２３に対するＯリング２１の可動が制限され得る。それゆえ、上記した本実施形態に係る連結態様の如く、Ｏリング２１、シュシュ２３及びチャーム本体２をこの順で連結することが好ましい。
【００２６】
本実施形態に係る傘チャーム１の作用効果について説明する。
市販されている傘には、様々なタイプがあり、その柄の太さもいろいろである。例えば、柄が太いものもあれば、細いものもある。また、柄の太さが部分的に変化するものもある。以下では、上記した標準的な傘の柄の太さの代表例として図２を、それよりも細い柄の太さの代表例として図３を用いて、傘チャーム１の取付け方法及び取付け状態を簡単に説明する。なお、説明の便宜上、前者の傘（図２）を柄の太い傘といい、後者の傘（図３）を柄の細い傘という。
【００２７】
図２に示すように、柄４０の太い傘４２の場合、取付けに際しては、Ｏリング２１及びシュシュ２３をそれらの自由状態の形状で柄４０の先端部から差し込み、柄４０の垂直部分４４へと挿通していく。上述したように、傘４２では柄４０の太さがＯリング２１の内径よりも大きい。このため、Ｏリング２１及びシュシュ２３を柄４０に取り付けた状態では、Ｏリング２１が自身の復元力によって柄４０を締め付けるようにして柄４０に取り付けられることになり、柄４０からの滑り落ちが抑制される。また、シュシュ２３は、自身の僅かな復元力で柄４０に取り付けられるか、復元力なしで柄４０に挿通された状態となる。したがって、この取付け状態では、主としてＯリング２１によって、傘チャーム１が柄４０に保持されることになる。
【００２８】
なお、図２では、二つの丸カン３３，３３にチャーム本体２のホック１０が取り付けられることで、シュシュ２３とチャーム本体２とが連結されている。また、図２において丸カン３１が図示されていないのは、柄４０を挟んで丸カン３３、３３とは反対側の位置に丸カン３１を設けて、シュシュ２３をＯリング２１に連結させているからである。これらの点は図３においても同様である。
【００２９】
図３に示すように、柄５０の細い傘５２の場合、取付けに際しては、Ｏリング２１は自由状態の形状で柄５０の先端部から差し込む一方、シュシュ２３は柄５０の外径よりも小径の内径を構成するように変形させた形状で柄４０の先端部から差し込み、Ｏリング２１及びシュシュ２３を柄５０の垂直部分５４へと挿通していく。Ｏリング２１及びシュシュ２３を柄４０に取り付けた状態では、シュシュ２３が自身の復元力によって柄５０を締め付けるように取り付けられることになり、柄５０からの滑り落ちが抑制される。また、Ｏリング２１は、復元力なしで柄５０に挿通された状態となる。したがって、この取付け状態では、主としてシュシュ２３によって、傘チャーム１が柄５０に保持されることになる。
【００３０】
以上説明した本実施形態の傘チャーム１によれば、柄の太さが異なる様々な傘４２，５２に対応することができる上、チャーム本体２及びシュシュ２３によって傘４２，５２の装飾性・ファッション性を高めることができる。また、チャーム本体２として様々なデザインを採用することができるので、傘チャーム１としてのデザインの幅を増幅することができる。なお、傘チャーム１を傘４２，５２から取り外したい場合には、Ｏリング２１又はシュシュ２３の緊締力に抗して、これらを柄４０，５０の先端部へと移動させていけばよい。
【００３１】
傘チャーム１は、傘の飾りだけではなく、他の物品の飾りとしても用いることができる。例えば、図４に示すように、傘チャーム１をハンドバッグ６０のハンドル部６２に取り付けることもできる。また、図示しないが、チャーム本体２のデザインによっては、ストールやスカーフをチャーム本体２に差して、チャーム本体２にさらに別のデザイン・装飾を加えることも可能である。
【００３２】
＜変形例＞
留め具３の構成として、Ｏリング２１をシュシュ２３よりも小径にしたが、その逆の構成とすることも可能である。また、リング状部材の例として、Ｏリング２１及びシュシュ２３を挙げたが、リング状部材はこれらに限るものではない。さらに、留め具３は、Ｏリング２１及びシュシュ２３に加えて、別のリング状部材を具備する構成であってもよい。
【符号の説明】
【００３３】
１：傘チャーム、  ２：チャーム本体、  ３：留め具、  １０：ホック、  １２：留め輪、  ２１：Ｏリング、  ２３：シュシュ、  ３１，３３：丸カン、  ４０，５０：柄、  ４２，５２：傘
【図１】
0003167533.tif 000003
【図２】
0003167533.tif 000004
【図３】
0003167533.tif 000005
【図４】
0003167533.tif 000006